(57)【要約】【課題】従来女性、老人等の非力な人達のシェープアップ用の健康器具は少なく継続繰返し反復運動をする機会が失われがちである、この様な人達の為に心身若返りシェープアップ用に反復運動を容易に実施出来る健康器具を提供すること。【解決手段】弾力性の有るマットにツボ押し用の突起を設け突起を表側にしてＶ字型にマットを折り曲げてＶ字の両面に繰返し圧縮力を加え反発力が発生するようにし、又ツボ押し突起が手の平、足の裏のツボに作用するようにした健康器具。【選択図】図１
0003114978.tif 000002
【実用新案登録請求の範囲】
【請求項１】
弾力性の有るマットの片面全面にツボ押しの突起物を設けこの突起物の面を外側としてＶ字型に折り曲げマットの弾力性を利用しツボ押し突起面に圧縮力を繰返し加え反発力を発生させる動作を可能にする事を特徴とする心身若返りシェープアップ健康器具。
【請求項２】
マットの反発力が不足する場合はマットの中にバネを入れる事も可能で反発力の強さ調整を可能にするためにバネの交換も可能な構造とし、バネは板バネコイルバネ等バネの構造は特定しないで、マットの材質は弾力性があり圧縮動作を繰返しても劣化しない材質で、又マット、ツボ押し突起は人間の肌に直接触れるため毒性、滑り、発臭の無いものとする事を特徴とする請求項１の心身若返りシェープアップ健康器具。
【請求項３】
上記の健康器具の使用方法は両手片手足踏み等で使用する器具であり重さは極力軽く過度な力を加えても破損しない構造で、ツボ押し突起の中には磁石も入れる事も可能とし、器具の大きさは片手用、両手用足踏み用等の使用状況に応じ各種形状寸法にすることも可能であり、又使用時落下防止用に吊り下げの紐の取り付けも可能とし、足踏み用に使用時は床面接触部には滑り止めのシートの装着も可能とする事を特徴とする請求項１，２の心身若返りシェープアップ健康器具。
【考案の詳細な説明】
【技術分野】
【０００１】本考案は、小さな力で繰り返し反復運動を実施する事で筋肉を刺激し心身若返りシェープアップする事が可能である事が判明しているが非力な女性老人用の健康器具は無く成人向けの健康器具では非力な人達には継続使用が出来ない。本健康器具は非力な人でも使用場所を選ばず継続使用可能で心身若返りシェープアップが可能な健康器具。
【背景技術】
【０００２】日常非力な女性老人が繰返しシェープアップ運動を実施するには場所を選ばず何処でも簡単に繰返し反復運動が可能にするための単純な構造で持ち運び出来る健康器具は少ない。バネ類又は弾力性の有る材料を使用し反復運動出来る事と、表面にツボ押し用突起を設ける事で繰返し反復運動をする時に手の平又は足の裏を刺激できるようにする。
【考案の開示】
【考案が解決しようとする課題】
【０００３】本考案は、上記のような従来の不足事項を解消し、非力な人達を対象に何処でも簡単に心身若返りシェープアップ運動を可能にするための健康器具を提供することを課題とする。
【課題を解決するための手段】
【０００４】本考案は、心身若返りシェープアップを可能とするために弾力性の有るマットの片面にツボ押し用の突起を設けその突起面を外側にＶ字型に折り曲げる。圧縮力の強弱例えば（弱、中、強）を調整するためにマットの中にバネ等を入れてもよい。ばねの形状は板バネコイルバネ等バネの種類は特定しない。このＶ字型の形状をした器具を両手の平の間の内側に挟み又は床に置き脚で押し圧縮反復運動を行うことで両腕の筋肉、胸廻り腹及び腰廻りの筋肉に刺激を与える、またツボ押し突起により手の平、足の裏が刺激され脳の活性化にもつながることが心身若返りシェープアップ健康器具によって解決される。
【考案の効果】
【０００５】本考案にかかる心身若返りシェープアップ健康器具に依れば、手の平に挟んで小さな力で繰り返し反復運動することにより、腕周り、胸周り腹、腰周りの筋肉に刺激を与える。又ツボ押し突起が手の平の体のツボを刺激し体全体及び脳が活性化し心身若返りシェープアップさせることが出来る。【０００６】この健康器具を横にして床に置き足を乗せ圧縮反復運動を繰返すことで脚周り、腰周りの筋肉を刺激する。又ツボ押し突起により足裏のツボを刺激し体、脳、内蔵が活性かし下半身の心身若返りシェープアップをさせることが出来る。
【考案を実施するための最良の形態】
【０００７】以下に本考案にかかる心身若返りシェープアップ健康器具の好適な実施形態を、添付図を参照にしながら詳述する。図１は本考案にかかる心身若返りシェープアップ健康器具の全体を示す図で弾力性の有るマット１にツボ押し用突起３を設置しツボ押し突起３を外側にＶ字型に折り曲げる。Ｖ字型に折り曲げられたマット１の両側を手の平に挟み圧縮力４をＦの方向に力を加える。Ｖ字型はマット１ａまで圧縮される。力を緩めるとＶ字型は元に戻るこの運動を繰返すことで小さな力でも各部の筋肉に刺激に与え心身若返りを促進する。手の平に挟むＶ字の方向は手前側又は反対側どちらでも良く挟む方向により鍛えられる筋肉が違ってくる。マット１の表面に設置されたツボ押し突起３はＶ字型に圧縮力を加えた時に手の平のツボを刺激する、このツボに関係する体の関係個所を活性化させる。【０００８】この図１の健康器具を脚踏み用に使用する場合は横にして床に置きＶ字面の一面に脚を乗せ圧縮力を加え反復運動をする。マットには吊紐、滑り止めシート取付け用穴５も設けてありこの穴にマット１が滑らないように足を乗せた反対側の面と床の間に滑りとめのシートを取付け滑り防止を行うことも出来る。脚の裏側で圧縮する時にはマット１表面のツボ押し突起３が足裏のツボを刺激しツボに関する体の部分を活性化させる。【０００９】マット１の中に圧縮力調整用のバネ２の設置も可能としこの健康器具使用者の筋力によりバネ２の強さを調整可能にすることも出来る。【００１０】図２はマット１表面に設置するツボ押し突起３の拡大図でありこの突起３は先端を細くし高さは不均一とし各部のツボに当り易くなる様に設置されている。又ツボ押し突起３には磁石を入れる事も可能とする。
【実施例１】
【００１１】本考案の心身若返りシェープアップ健康器具の試作品を作成し手の平に挟み毎日わずかな時間で１ヶ月繰返し反復運動を行った結果両腕の皮下脂肪の減少、バストアップ、脇腹の脂肪減少等の改善が見られた。
【図面の簡単な説明】
【００１２】
【図１】本考案にかかる健康器具の構造を示す外観図である。
【図２】本考案にかかるマット面のツボ押し突起の形状を示す詳細図である。
【符号の説明】
１    弾力性の有るマット
１ａ  弾力性の有るマットの圧縮された位置
２    圧縮力調整用バネ
３    ツボ押し突起
４    圧縮力を示す方向
５    紐、滑り止めシート取付け用穴
【図１】
0003114978.tif 000003
【図２】
0003114978.tif 000004
【手続補正書】
【提出日】平成17年7月1日(2005.7.1)
【手続補正１】
【補正対象書類名】実用新案登録請求の範囲
【補正対象項目名】全文
【補正方法】変更
【補正の内容】
【実用新案登録請求の範囲】
【請求項１】
弾力性の有るマットの片面全面にツボ押しの突起物を設けこの突起物の面を外側としてＶ字型に折り曲げマットの弾力性を利用し手、腕、胸、脚等各部の筋力アップを図る、ツボ押し突起面に圧縮力を繰返し加え反発力を発生させる事で手の平脚の裏等を刺激する動作を可能にする事を特徴とする心身若返りシェープアップ健康器具。
【請求項２】
年齢、男女差によって各筋力の強さ等が異なるため使用者に合った反発力を提供する事を目的にマットの反発力を使用者に合った反発力発生のためにマットの中にバネを入れる事も可能とし、同一器具の複数者共用使用等を考慮し反発力の強さ調整可能にすべくバネの交換も可能な構造とし、バネは板バネコイルバネ等バネの構造、材質は特定しない、マットの材質は手の平足の裏等に密着使用させるために弾力性を持たせ圧縮動作を繰返しても劣化しない材質とし、又マットのツボ押し突起は人間の肌に直接触れるため毒性、滑り、発臭、発熱の無いものとする事を特徴とする請求項１の心身若返りシェープアップ健康器具。
【請求項３】
上記の健康器具の使用方法は両手片手足踏み等で使用する器具であり、手用器具の場合器具の大きさは手の平大の寸法とし、手で水平方向トレーニングする場合を考慮し疲労を最小限に抑えるべく重さは極力軽くし、足踏用器具は両足を乗せても十分な余裕のある寸法とし、手での使用時落下防止用及び掛けての保管用に器具の各隅に設けた穴に吊り下げ用の紐取り付けを可能とし、足踏み用器具は使用時に大きな力を加えた時に床接触面の滑り危険防止用に器具各隅に設けた穴を利用して滑り止めシートの装着も可能とし、かつ過度な力を加えても破損しない構造とし、ツボ押し突起の中には磁石等も入れる事も可能とすることを特徴とする請求項１，２の心身若返りシェープアップ健康器具。